(57)【要約】【課題】  簡易な構造で操作パネル装置の使い勝手や操作性を大幅に向上させることを可能とする。【解決手段】複数の宛先を登録可能なワンタッチ操作キー１４３が貫通するようにして積層状に重合配置された複数枚の宛先表示板１４４，１４５の各回動支持部１４４ｂ，１４５ｂを、当該宛先表示板１４４，１４５が積層方向に移動可能に許容する構成とし、複数枚の宛先表示板１４４，１４５の積層順が任意に変更可能となるように構成したことによって、例えば使用上の優先度が高い宛先表示板を最上層に配置しておくことなどを可能としたもの。【選択図】      図３
2007202056.tif 000002
【特許請求の範囲】
【請求項１】
複数の宛先を登録可能なワンタッチ操作キーと、そのワンタッチ操作キーを貫通させる透孔を有し、積層状に重合配置可能に設けられた複数枚の宛先表示板と、を有し、
前記各宛先表示板が、当該宛先表示板の積層順に順次開放可能となるように回動支持部を介して装置本体に開閉可能に枢着された画像形成装置の操作パネル装置において、
前記各宛先表示板の回動支持部が、当該宛先表示板を積層方向に移動可能に許容する構成になされて、各宛先表示板の積層順が変更可能となるように構成されていることを特徴とする画像形成装置の操作パネル装置。
【請求項２】
前記各宛先表示板の回動支持部が、それぞれの宛先表示板ごとに異なる位置の端縁部に設けられて、前記各宛先表示板が異なる方向に開閉される構成になされていることを特徴とする請求項１記載の画像形成装置の操作パネル装置。
【請求項３】
前記各宛先表示板の回動支持部は、それぞれの宛先表示板の端縁部から突出するように設けられた回動軸と、その回動軸を回転自在に収容するように前記装置本体側に設けられた軸受孔と、を有し、
前記軸受孔が、前記各宛先表示板の積層方向に長径を有する長孔状に形成されていることを特徴とする請求項１または請求項２記載の画像形成装置の操作パネル装置。
【請求項４】
前記ワンタッチ操作キーは、前記複数の宛先表示板の一部または全部が開放されている場合においても選択操作が可能となるように構成されていることを特徴とする請求項１記載の画像形成装置の操作パネル装置。
【発明の詳細な説明】
【技術分野】
【０００１】
本発明は、ワンタッチ操作キーに付設された複数枚の宛先表示板が順次開放可能となるように構成された画像形成装置の操作パネル装置に関する。
【背景技術】
【０００２】
一般に、ファクシミリ等の通信機能を有する画像記録装置の操作パネル装置には、送信を行う際の操作を簡略化するためにワンタッチ操作キーが装備されることが多い。ワンタッチ操作キーは、ワンタッチにて所望する相手先と通信状態となるように相手先の電話番号やファックス番号等の宛先を各ワンタッチ操作キーごとに予め登録しておくものであって、例えば下記の特許文献１に記載された装置では、図２０に示されているように、装置本体の上面部を利用して設けられた宛先表示部１を上方側から覆う２枚の宛先表示板２，３が、手前側から奥側に向かって開放可能に枢着されている。
【０００３】
これら２枚の宛先表示板２，３は、当該宛先表示板２，３を構成している平板状部材の奥側端縁に設けられた回動支持部（ヒンジ部）２ａ，３ａを介して装置本体側に対して開閉されるように取り付けられており、閉じたときには、前記宛先表示部１上に重ね合わせられるようにして積層状に重合配置される構成にされている。それらの各宛先表示板２，３には透孔４が形成されていて、それら各透孔４を複数個のワンタッチ操作キー５，５，・・・が貫通するように配置されている。
【０００４】
そして、これらの各宛先表示板２，３を一枚ずつめくることで、各宛先表示板２，３に対応して設けられた切替用の開閉スイッチ６ｂ，６ｃが順次切り替えられいくことによって、宛先表示部１および宛先表示板２，３のうちの露呈されたものに記載された宛先が選択可能状態となり、各宛先に対応して配置されたワンタッチ操作キー５を押圧操作することによって宛先が選択されるようになっている。
【０００５】
また、下記の特許文献２に記載された装置では、一枚の宛先表示板の一端縁に他の宛先表示板が回動可能にヒンジ結合された構造になされていて、それら２枚の宛先表示板が折り畳み式状態になされるように構成されている。
【０００６】
【特許文献１】特開平０６−０８５９８４号公報
【特許文献２】特開平１１−１４４５６５号公報
【発明の開示】
【発明が解決しようとする課題】
【０００７】
ところが、このように複数枚の宛先表示板をめくるように構成された従来の操作パネル装置においては、各宛先表示板の上下の重合関係が固定状態となっているため、例えば使用頻度の高い宛先が下層側の宛先表示板に登録されている場合には、その宛先を指定しようとするごとに、上層側の宛先表示板を必要な枚数の分だけめくって所望するワンタッチ操作キーを露呈させることが必要となり、使い勝手や操作性が良好でない場合がある。また、同一の端縁に複数枚の宛先表示板の回動支持部が集中して配置される構成になされているため、回転支持部の構造が複雑化するという問題もある。
【０００８】
そこで本発明は、このような従来の問題点に鑑み、簡易な構造で操作性に優れた画像形成装置の操作パネル装置を提供することを目的とする。
【課題を解決するための手段】
【０００９】
上記目的を達成するため本発明は、複数の宛先を登録可能なワンタッチ操作キーと、そのワンタッチ操作キーを貫通させる透孔を有し、積層状に重合配置可能に設けられた複数枚の宛先表示板とを有し、前記各宛先表示板が、当該宛先表示板の積層順に順次開放可能となるように回動支持部を介して装置本体に開閉可能に枢着された画像形成装置の操作パネル装置において、前記各宛先表示板の回動支持部が、当該宛先表示板を積層方向に移動可能に許容する構成になされて、各宛先表示板の積層順が変更可能となるように構成されている。
【００１０】
このような構成を有する画像形成装置の操作パネル装置によれば、複数枚の宛先表示板の積層順がユーザーの要望に応じて任意に変更可能となり、例えば使用上の優先度が高い宛先表示板を最上層に配置しておくことなどによって、操作パネル装置の使い勝手や操作性が大幅に向上されるようになっている。
【発明の効果】
【００１１】
以上述べたように本発明にかかる画像形成装置の操作パネル装置は、ワンタッチ操作キーが貫通するように積層状に重合配置された複数枚の宛先表示板の回動支持部を、宛先表示板が積層方向に移動可能に許容する構成とし、複数枚の宛先表示板の積層順を任意に変更可能とすることによって、簡易な構造で操作パネル装置の使い勝手や操作性を大幅に向上させるように構成したものであるから、画像形成装置の有用性を低廉かつ大幅に高めることができる。
【発明を実施するための最良の形態】
【００１２】
以下、ファクシミリ機能を有する複合型複写機に本発明を適用した実施形態を図面に基づいて詳細に説明するが、それに先立って、まず図１および図２に示された画像形成装置としての複合型複写機の全体構造を説明しておく。
【００１３】
図１において、装置本体１０の上端位置には原稿を読み取るスキャナユニット１１が配置されているとともに、前記装置本体１０の正面側方に配置されたマルチ手差しユニット１２は、必要に応じて開放するように傾倒させることによって紙等のシート状記録媒体をセットすることができる構成になされている。また、図１中の符号１３はコピー操作パネル装置を示しており、プリント動作に必要な種々の操作を行う構成になされている。そして、そのコピー操作パネル装置１３と隣接するようにして本発明にかかるファクシミリ操作パネル装置１４が配置されている。このファクシミリ操作パネル装置１４の構造については、本発明の要旨であるので後段において詳細に説明することとする。
【００１４】
給紙カセット１５は、装置本体１０の下部側に着脱可能に配置されており、上述した手差しユニット１２と同じく紙等の記録媒体を積層状にセットすることができる構成になされていて、これらの給紙カセット１５または手差しユニット１２から送り出された記録媒体上には、公知の電子写真技術に基づいてトナー像が形成されて熱定着され、プリント出力されるようになっている。
【００１５】
すなわち、特に図２に示されているように、プロセスユニットＰＵ内に回転自在に支持された像担持体としての感光ドラム２０は、メインモータ２１によって矢印Ａ方向に適宜のプロセススピードで回転駆動されるように構成されており、その感光ドラム２０の周囲には、前記回転方向に沿って、当該感光ドラム２０の表面を均一に帯電させる帯電装置としての帯電ローラ２２、静電潜像を形成するための露光手段であるレーザースキャナ２３、静電潜像を現像して顕像化するための現像装置２４、前記感光ドラム２０上のトナー画像を記録媒体側に転写するための転写装置を構成する転写ローラ２５等が順に配設されている。
【００１６】
また、プロセスユニットＰＵから略水平に延出する搬送ガイド２６は、トナー像を転写された記録媒体を加熱・加圧する定着装置２７に連結されている。さらに、図示は省略したが前記装置本体１０の背面側には、各種の画像形成動作を制御するＣＰＵ等を内蔵した制御基板が配置されている。
【００１７】
そして、上述したメインモータ２１によって矢印Ａ方向に回転駆動される感光ドラム２０の外周表面が、前記帯電ローラ２２によって所定の極性および電位に一様に帯電されると、その帯電後の感光ドラム２０の外周表面に対して露光手段であるレーザースキャナ２３により画像情報に基づいた画像露光がなされ、露光部分の電荷が除去されて静電潜像が形成される。その感光ドラム２０上の静電潜像は、現像装置２４内に設けられた現像スリーブ２４ｂに印加される所定の現像バイアスに基づいて付着されるトナーにより顕像化され、トナー像の形成が行われる。
【００１８】
一方、紙等からなるシート状の記録媒体Ｐは、例えば上述した給紙カセット１５内から図示しない給紙ローラや搬送ローラによって搬送され、前記感光ドラム２０と転写ローラ２５との間の転写ニップ部に搬送されて記録媒体側にトナー像が転写される。転写によって表面に未定着トナー像を担持した記録媒体Ｐは、搬送ガイド２６に沿って定着装置２７に搬送され、そこで未定着トナー像が加熱・加圧されることによりトナーが溶融することで記録媒体表面にトナー像が定着される。以上の動作を繰り返すことで、次々と画像形成が実行されることとなる。
【００１９】
このような構成を有する複写機の装置本体１０の上部側には、図３および図４に示されているような本発明の一実施形態にかかるファクシミリ操作パネル装置１４が設けられている。このファクシミリ操作パネル装置１４の枠体を構成している操作部ケース１４１には、上面部の奥側部分に通信やモードの選択を行う機能キー１４２が配置されているとともに、それら機能キー１４２の手前側部分に、複数個のワンタッチ操作キー１４３，１４３，・・・が押圧操作可能に配列されている。それらの各ワンタッチ操作キー１４３は、前記操作部ケース１４１の上面部から所定量突出するように設けられており、それら複数個のワンタッチ操作キー１４３，１４３，・・・が適宜の間隔をなしてマトリックス状に配列されている。
【００２０】
一方、前記各ワンタッチ操作キー１４３が設けられている前記操作部ケース１４１の上面部は、各ワンタッチ操作キー１４３に対応してキー番号（図示略）が印刷された宛先表示部をなすように形成されている。そして、相手先の電話やファクス等の番号をそれぞれのワンタッチ操作キー１４３ごとに事前に登録しておくとともに、前記宛先表示部の表面に、各ワンタッチ操作キー１４３の登録情報をシール貼り付けなどによって表示しておけば、当該宛先表示部に表示された宛先に対応するワンタッチ操作キー１４３を押すだけで所定の相手先に通信するように電話番号の選択が実行されるようになっている。ワンタッチ操作キー１４３に対する番号登録に関する構成および操作は、従来から周知のものであるので説明は省略する。
【００２１】
さらに、上述したように前記操作部ケース１４１の上面部を利用して設けられた宛先表示部の上方には、２枚の宛先表示板（ワンタッチパネル）１４４，１４５が積層状をなすように重合配置されている。これら２枚の各宛先表示板１４４，１４５には、前記各ワンタッチ操作キー１４３，１４３，・・・に対応した位置に透孔１４４ａ，１４５ａがそれぞれ形成されており、各ワンタッチ操作キー１４３がそれらの透孔１４４ａ，１４５ａを貫通していることによって、前記各ワンタッチ操作キー１４３の上端部分（キートップ）が上方側に露出して押圧操作を可能している。
【００２２】
これら２枚の宛先表示板（ワンタッチパネル）１４４，１４５にも、各ワンタッチ操作キー１４３にそれぞれ対応して互いに異なるキー番号（図示略）が印刷されていて、相手先の電話やファクス等の番号をそれぞれのワンタッチ操作キー１４３ごとに事前に登録して、その登録された宛先を上述した宛先表示板にシールを貼るなどによって表示しておけば、当該宛先表示板１４４，１４５に表示された宛先に対応するワンタッチ操作キー１４３を押すだけで所定の相手先に通信するように電話番号の選択が実行されるようになっている。この各ワンタッチ操作キー１４３による選択操作は、２枚の宛先表示板１４４，１４５が全て閉じている場合のみならず、それら２枚の宛先表示板１４４，１４５のうちの一枚または全てが開放されている場合であっても選択操作が可能となるように構成されている。
【００２３】
このとき、上述したように積層状に重合配置された２枚の宛先表示板（ワンタッチパネル）１４４，１４５は、ユーザーの手前側から奥側に向かう方向（以下、操作方向という。）に見て左右方向に開閉可能となるように取り付けられており、上層側のものから順次一枚ずつめくられる構成になされている。すなわち、これらの各宛先表示板１４４，１４５は、平面略矩形状の板状部材から形成されており、その板状部材の一端縁に配置された軸受支持部（ヒンジ部）１４４ｂ，１４５ｂを介して装置本体側の操作部ケース１４１に対して回動可能に取り付けられている。
【００２４】
そして、図３の状態においては、宛先表示板１４５の上層側に宛先表示板１４４が重合するように配置されているが、その上層側の宛先表示板１４４は、前記操作方向に見て左端縁側に軸受支持部（ヒンジ部）１４４ｂが配置されていることによって左方開きの構成になされている。一方、この宛先表示板１４４の下層側に隠れるように配置された宛先表示板１４５は、前記操作方向に見て右端縁側に軸受支持部（ヒンジ部）１４５ｂが配置されていることによって右方開きの構成になされている。
【００２５】
上述した軸受支持部１４４ｂ，１４５ｂは、特に図５に示されているように、前記各宛先表示板１４４，１４５の端縁部に設けられた回動軸１４４ｃ，１４５ｃを有している。これらの回動軸１４４ｃ，１４５ｃは、各宛先表示板１４４，１４５の端縁方向に沿って外方側に所定量突出するように設けられており、それらの回動軸１４４ｃ，１４５ｃの外方突出部分が、前記装置本体の操作部ケース１４１側に設けられた軸受孔１４４ｄ，１４５ｄ内に回転自在に収容されている。
【００２６】
このとき、上述した軸受孔１４４ｄ，１４５ｄは、前記各回動軸１４４ｃ，１４５ｃを遊嵌状態とするように長孔状に形成されている。この軸受孔１４４ｄ，１４５ｄを構成する長孔の長径は、前記宛先表示板１４４，１４５の積層方向である上下方向に延在するように設定されており、当該長孔状の軸受孔１４４ｄ，１４５ｄ内において上述した回動軸１４４ｃ，１４５ｃが上下方向に移動可能に構成されている。すなわち、図３の状態において宛先表示板１４５の上層側に配置された宛先表示板１４４の回動軸１４４ｃは、前記軸受孔１４４ｄの上端位置まで移動して保持されているとともに、その宛先表示板１４４の下層側に配置された宛先表示板１４５の回動軸１４５ｃは、前記軸受孔１４５ｄの下端位置まで移動して保持されている。
【００２７】
これに対して、上述した２枚の宛先表示板１４４，１４５を一旦、共に開いた状態にした後に、図４に示されているように、宛先表示板１４４を宛先表示板１４５より先に閉じた状態とすると、当該宛先表示板１４４の回動軸１４４ｃが軸受孔１４４ｄの下端位置に移動する。そして、その図４の状態から図６に示されているように、宛先表示板１４５を宛先表示板１４４の上層側に閉じると、当該宛先表示板１４５の回動軸１４５ｃが軸受孔１４５ｄの上端位置に移動し、宛先表示板１４５が宛先表示板１４４の上層側に配置されることとなる。このように、これら２枚の宛先表示板１４４，１４５の積層順は、当該宛先表示板１４４，１４５のいずれを先に閉じるかによって適宜に変更可能に構成されている。
【００２８】
ここで装置本体側には、図７に示されているように、上述した宛先表示板１４４，１４５に対応して３体の切替スイッチＳＷ１，ＳＷ２，ＳＷ３が配置されている。そして、これら３体の切替スイッチＳＷ１，ＳＷ２，ＳＷ３に対応して、前記宛先表示板１４４，１４５側には、スイッチ押圧用の固定突起１４４ｅ，１４５ｅおよび可動突起１４４ｆ，１４５ｆがそれぞれ設けられている。そのうちの固定突起１４４ｅ，１４５ｅは、前記宛先表示板１４４，１４５を構成している板状部材に一体的に形成された凸状部から構成されている。また、前記可動突起１４４ｆ，１４５ｆは、宛先表示板１４４，１４５構成している板状部材に対して片持ち状に取り付けられた板バネ１４４ｇ，１４５ｇを介して下方向に弾性変位可能に配置されている。
【００２９】
そして、前述した図３のように、左方開きの宛先表示板１４４が上層側に、右方開き宛先表示板１４５が下層側に重合するように閉じた状態となっている場合には、図７のように切替スイッチＳＷ１，ＳＷ２，ＳＷ３が、それぞれオフ、オン、オン状態にセットされることとなり、それによって左方開き宛先表示板１４４に対応する相手先がワンタッチダイヤルできる状態となる（以下、この状態をモード１と呼ぶ。）。
【００３０】
一方、右方開き宛先表示板１４５に登録された相手先を通信するようにするには、上述したモード１の状態から、前述した図４のように左方開き宛先表示板１４４を開くことによって右方開き宛先表示板１４５を外方に露呈させる。これによって、図８のように前記各切替スイッチＳＷ１，ＳＷ２，ＳＷ３は、それぞれオフ、オフ、オン状態にセットされることとなり、右方開き宛先表示板１４５に対応する相手先がワンタッチダイヤルできる状態となる（以下、この状態をモード２と呼ぶ。）。
【００３１】
さらに、上述したモード２の状態から右方開き宛先表示板１４５も開いた状態にすると、一番下にある宛先表示板、つまり操作部ケース１４１の上面部を利用して形成された宛先表示部が露顕される。その場合には、前記切替スイッチＳＷ１，ＳＷ２，ＳＷ３が全てオフ状態にセットされ、一番下にある宛先表示部に対応する相手先がワンタッチダイヤルできる状態となる（以下、この状態をモード３と呼ぶ。）。
【００３２】
続いて、このようなモード３の状態から、図４に示されているように左方開きの宛先表示板１４４を閉じると、図９のように切替スイッチＳＷ１，ＳＷ２，ＳＷ３は、それぞれオン、オフ、オフ状態にセットされ、それによって左方開き宛先表示板１４４に対応する相手先がワンタッチダイヤルできる状態となる。この状態は、前述したモード１と同じモードとなる。
【００３３】
さらに、上述した図４の状態から、図６に示すように右方開き宛先表示板１４５を閉じると、今度は、左方開き宛先表示板１４４が下層側に、右方開き宛先表示板１４５が上層側になる。この状態においては、図１０のように前記切替スイッチＳＷ１，ＳＷ２，ＳＷ３が、それぞれオン、オン、オフ状態にセットされ、それによって右方開き宛先表示板１４５に対応する相手先がワンタッチダイヤルできる状態となる。この状態は、前述したモード２と同じモードとなる。
【００３４】
このように、図６に示された状態と図３に示された状態とでは、優先モードの違いは明らかである。すなわち、図３の状態では左方開き宛先表示板１４４が優先となっているのに対して、図６の状態では、右方開き宛先表示板１４５が優先になっている。そして、図３の状態から図６の状態にしたり、図６の状態から図３の状態にしたりすること、つまり２枚の宛先表示板１４４，１４５の上下の順序を入れ替えることは、ユーザーの好みに応じて任意かつ容易に行われる。例えば、使用上の優先度が高い宛先表示板を上方側に配置しておくことなどによって、操作パネル装置の使い勝手や操作性が大幅に向上されるようになっている。
【００３５】
上述したように各切替スイッチＳＷ１，ＳＷ２，ＳＷ３は、装置本体に設けられた宛先表示部の上方側に開閉可能に配置された２枚の宛先表示板１４４，１４５の開閉状態に対応してオン・オフされ、それらの各切替スイッチＳＷ１，ＳＷ２，ＳＷ３におけるオン・オフの組み合わせによって宛先表示板１４４，１４５の選択が行われるものであるが、念のために本実施形態における全ての組み合わせを示しておくと、例えば以下の表１のようになっている。なお、当該表１において、「パネル１」は宛先表示板１４４を、「パネル２」は宛先表示板１４５をそれぞれ示している。
【表１】
2007202056.tif 000003
【００３６】
一方、上述した第１の実施形態と同一物に同一符号を付した図１１および図１２にかかる第２の実施形態においては、各ワンタッチ操作キー１４３を貫通させるように積層状に重合配置されている２枚の宛先表示板２４４，２４５のうち、図１１において上層側に配置されている宛先表示板２４４は、平面略矩形状の板状部材の左端縁に配置された軸受支持部（ヒンジ部）２４４ｂを介して装置本体側の操作部ケース１４１に対して回動可能に取り付けられており、ユーザーの手前側から奥側に向かう操作方向に見て左方開きとなるように構成されている。これに対して、図１１において下層側に配置されている宛先表示板２４５は、平面略矩形状の板状部材の上端縁に配置された軸受支持部（ヒンジ部）２４５ｂを介して装置本体側の操作部ケース１４１に対して回動可能に取り付けられおり、操作方向に見て奥方開きとなるように構成されている。
【００３７】
このように本実施形態では、上下に積層状に重合配置された２枚の宛先表示板２４４，２４５が、左側方向および奥側方向の異なる２方向に順次開放可能となるように構成されている。上述した軸受支持部２４４ｂ，２４５ｂは、各宛先表示板２４４，２４５の異なる位置の端縁部にそれぞれ設けられた回動軸２４４ｃ，２４５ｃを有していて、それらの回動軸２４４ｃ，２４５ｃが、装置本体側の操作部ケース１４１に設けられた軸受孔２４４ｄ，２４５ｄ内に回転自在に収容されている。
【００３８】
そして、上記軸受孔２４４ｄ，２４５ｄは、前記宛先表示板２４４，２４５の積層方向である上下方向に沿った長孔状をなすように形成されており、それらの長孔状をなす軸受孔２４４ｄ，２４５ｄ内において上述した回動軸２４４ｃ，２４５ｃが上下方向に移動可能となるように構成されている。すなわち、図１１の状態では、宛先表示板２４５の上層側を覆うように配置された宛先表示板２４４の回動軸２４４ｃが軸受孔２４４ｄの上端位置に移動されているとともに、その宛先表示板２４４の下層側に配置された宛先表示板２４５の回動軸２４５ｃは軸受孔２４５ｄの下端位置に移動されている。
【００３９】
つまり、図１１に示す状態では、左方開きの宛先表示板２４４が上層側に、奥方開き宛先表示板２４５が下層側に重なり合うように閉じた状態となっていて、左方開き宛先表示板２４４に対応する相手先がワンタッチダイヤルできる状態となる（モード１）。一方、奥方開き宛先表示板２４５に対応する相手先を通信するようにするには、上述した図１１のモード１の状態から左方開き宛先表示板２４４を開くことによって奥方開き宛先表示板２４５を外方に露呈させれば、図示を省略した切替スイッチの作用によって奥方開き宛先表示板２４５に対応する相手先がワンタッチダイヤルできる状態となる（モード２）。
【００４０】
さらに、上述したモード２の状態から、奥方開き宛先表示板２４５も開いた状態にすると、一番下にある装置本体側の操作部ケース１４１の表面に形成された宛先表示板が露顕され、その宛先表示板に対応する相手先が切替スイッチの作用によってワンタッチダイヤルできる状態となる（モード３）。
【００４１】
続いて、このようなモード３の状態から、図１２に示されているように左方開きの先表示板２４４を閉じると、その左方開き宛先表示板２４４に対応する相手先が、図示を省略した切替スイッチの作用によってワンタッチダイヤルできる状態となる。この状態は前記のモード１と同じモードとなる。
【００４２】
さらに、上述した図１２の状態から、図１３に示すように奥方開き宛先表示板２４５を閉じると、今度は左方開き宛先表示板２４４が下層側に、奥方開き宛先表示板２４５が上層側に配置される。このような状態においては、奥方開き宛先表示板２４５に対応する相手先が図示を省略したスイッチの作用によりワンタッチダイヤルできる状態となる。この状態は前記モード２と同じモードとなる。
【００４３】
この図１３に示す状態と図１１に示す状態とでは優先モードの違いは明らかである。すなわち、図１１の状態では左方開き宛先表示板２４４が優先となっているのに対して、図１３の状態では、奥方開き宛先表示板２４５が優先になっている。そして、図１１の状態から図１３の状態にしたり、図１３の状態から図１１の状態にしたりすること、つまり２枚の宛先表示板２４４，２４５の上下順序を入れ替えることがユーザーの好みに応じて任意かつ容易に行われることとなり、例えば、使用上の優先度が高い宛先表示板を上方側に配置しておくことなどによって操作パネル装置の使い勝手や操作性が大幅に向上されるようになっている。
【００４４】
さらにまた、上述した各実施形態と同一物に同一符号を付した図１４ないし図１６の本発明の第３の実施形態は、装置本体側の操作部ケースの表面に形成された宛先表示板の上方側に、３枚の宛先表示板３４４，３４５，３４６を積層状に配置したものである。より具体的には、上述した第１の実施形態における左方および右方開きの両宛先表示板（符号１４４，１４５参照）の構成に、第２の実施形態における奥方開きの宛先表示板（符号２４５参照）を組み合わせて構成したものである。
【００４５】
すなわち、この第３の実施形態においては、各ワンタッチ操作キー１４３を貫通させるように積層状に重合配置されている３枚の宛先表示板３４４，３４５，３４６のうち、図１６において上層側に配置されている２枚の宛先表示板３４４，３４５は、平面略矩形状の板状部材の左端縁に配置された軸受支持部（ヒンジ部）３４４ｂ，３４５ｂをそれぞれ介して装置本体側の操作部ケース１４１に対して回動可能に取り付けられており、ユーザーの手前側から奥側に向かう操作方向に見て各々が左方開きおよび右方開きとなるように構成されている。
【００４６】
これに対して、図１６において下層に配置されている宛先表示板３４６は、平面略矩形状の板状部材の上端縁に配置された軸受支持部（ヒンジ部）３４６ｂを介して装置本体側の操作部ケース１４１に対して回動可能に取り付けられおり、操作方向に見て奥方開きとなるように構成されている。このように本実施形態では、上下に積層状に重合配置された３枚の宛先表示板３４４，３４５，３４６が、左右の両側方向および奥側方向の異なる３方向に順次開放可能となるように構成されている。
【００４７】
さらに、上述した軸受支持部３４４ｂ，３４５ｂ，３４６ｂは、各宛先表示板３４４，３４５，３４６の異なる位置の端縁部にそれぞれ設けられた回動軸３４４ｃ，３４５ｃ，３４６ｃを有していて、それらの回動軸３４４ｃ，３４５ｃ，３４６ｃが、上述した各実施形態と同様に装置本体側の操作部ケース１４１に長孔状をなすように設けられた軸受孔内にぞれぞれ回転自在に収容されている。
【００４８】
すなわち、それら装置本体側に設けられた各軸受孔は、上述した各実施形態と同様に前記宛先表示板３４４，３４５，３４６の積層方向である上下方向に沿った長孔状をなすように形成されており、当該長孔状の軸受孔内において上述した回動軸３４４ｃ，３４５ｃ，３４６ｃが上下方向に移動可能となるように構成されていることによって、上記３枚の宛先表示板３４４，３４５，３４６の積層順が、例えば図１６ないし図１９に示されているように適宜に入れ替えて変更されるようになっている。
【００４９】
そして、本実施形態においては、切替えスイッチを７体（ＳＷ１〜ＳＷ７）準備することによって各宛先表示板３４４，３４５，３４６の開閉状態を検知する構成になされている。すなわち、それらの各切替スイッチＳＷ１〜ＳＷ７は、装置本体に設けられた宛先表示部の上方側に開閉可能に配置された３枚の宛先表示板３４４，３４５，３４６の開閉状態に対応してオン・オフされ、それらの各切替スイッチＳＷ１〜ＳＷ７におけるオン・オフの組み合わせによって前記各宛先表示板３４４，３４５，３４６の選択が行われるものであるが、念のために本実施形態における全ての組み合わせを示しておくと、例えば以下の表２のようになっている。なお、当該表２において、「パネルＡ」は宛先表示板３４４を、「パネルＢ」は宛先表示板３４５を、「パネルＣ」は宛先表示板３４６をそれぞれ示している。
【表２】
2007202056.tif 000004
【００５０】
このような第３の実施形態によれば、極めて多数の相手先を登録する場合においても、操作パネル装置の使い勝手や操作性を良好に維持することが可能となる。また、上述した第１および第２の実施形態においては装置本体の宛先表示部に記載されていた宛先を、３枚の宛先表示板３４４，３４５，３４６のいずれかに記載するようにしておけば、第１および第２の実施形態では２枚の宛先表示板をめくらなければ露呈することができなかった宛先を上層側に優先して配置することが可能となる。
【００５１】
以上、本発明者によってなされた発明の実施形態を具体的に説明したが、本発明は上記実施形態に限定されるものではなく、その要旨を逸脱しない範囲で種々変形可能であることはいうまでもない。
【００５２】
例えば、上述した各実施形態は、ファクシミリ機能を有する複合型複写機に本発明を適用したものであるが、本発明はそれに限定されることなく、その他の画像形成装置に対しても同様に適用することが可能である。
【産業上の利用可能性】
【００５３】
以上述べたように本発明にかかるファクシミリや複写機などをはじめとして多種多様な画像形成装置に対して広く適用することが可能である。
【図面の簡単な説明】
【００５４】
【図１】本発明を適用した画像形成装置の一例としてのファクシミリ機能を有する複合型複写機の全体構造を表した外観斜視説明図である。
【図２】図１に表されたファクシミリ機能を有する複合型複写機の内部構造を表した縦断面説明図である。
【図３】図１に表されたファクシミリ機能を有する複合型複写機に作用されている本発明の第１実施形態にかかる操作パネル装置において２枚の宛先表示板を積層状に重合させた状態を表した外観斜視説明図である。
【図４】図３の重合状態から右方開き宛先表示板を開いた状態を表した外観斜視説明図である。
【図５】図３の重合状態にある場合の操作パネル装置の横断面説明図である。
【図６】図４の状態から右方開き宛先表示板を閉じた状態を表した外観斜視説明図である。
【図７】図３の重合状態にある宛先表示板に対する切替えスイッチのオン・オフ状態を表した横断面説明図である。
【図８】図３の重合状態から左方開き宛先表示板を開いた状態に対する切替えスイッチのオン・オフ状態を表した横断面説明図である。
【図９】図３の重合状態から右方開き宛先表示板を開いた状態に対する切替えスイッチのオン・オフ状態を表した横断面説明図である。
【図１０】図６の重合状態にある宛先表示板に対する切替えスイッチのオン・オフ状態を表した横断面説明図である。
【図１１】本発明の第２実施形態にかかる操作パネル装置において２枚の宛先表示板を積層状に重合させた状態を表した外観斜視説明図である。
【図１２】図１１の重合状態から奥方開き宛先表示板を開いた状態を表した外観斜視図である。
【図１３】図１２の状態から奥方開き宛先表示板を閉じた状態を表した外観斜視説明図である。
【図１４】本発明の第３実施形態にかかる操作パネル装置において３枚の宛先表示板を開放させた状態を表した外観斜視説明図である。
【図１５】図１４に示された３枚の宛先表示板の重合状態を模式的に表した斜視説明図である。
【図１６】図１４に示された３枚の宛先表示板の重合状態を模式的に表した横断面説明図である。
【図１７】図１６の重合状態から１枚の宛先表示板を開いた状態を表した横断面説明図である。
【図１８】図１６の重合状態から他の１枚の宛先表示板を開いた状態を表した横断面説明図である。
【図１９】図１６の重合状態から別の他の１枚の宛先表示板を開いた状態を表した横断面説明図である。
【図２０】従来におけるファクシミリ操作パネル装置の全体構造を表した外観斜視説明図である。
【符号の説明】
【００５５】
１０  装置本体
１１  スキャナユニット
１２  マルチ手差しユニット
１３  コピー操作パネル装置
１４  ファクシミリ操作パネル装置
１５  給紙カセット
２０  感光ドラム
２２  帯電ローラ
２３  レーザースキャナ
２４  現像装置
２５  転写ローラ
２７  定着装置
１４１  操作部ケース
１４２  機能キー
１４３  ワンタッチ操作キー
１４４，１４５  宛先表示板（ワンタッチパネル）
１４４ａ，１４５ａ  透孔
１４４ｂ，１４５ｂ  軸受支持部（ヒンジ部）
１４４ｃ，１４５ｃ  回動軸
１４４ｄ，１４５ｄ  軸受孔
１４４ｅ，１４５ｅ  固定突起
１４４ｆ，１４５ｆ  可動突起
１４４ｇ，１４５ｇ  板バネ
ＳＷ１〜ＳＷ３  切替スイッチ
２４４，２４５  宛先表示板
２４４ｂ，２４５ｂ  軸受支持部（ヒンジ部）
２４４ｃ，２４５ｃ  回動軸
２４４ｄ，２４５ｄ  軸受孔
３４４，３４５，３４６  宛先表示板
３４４ｃ，３４５ｃ，３４６ｃ  回動軸
ＳＷ１〜ＳＷ７  切替スイッチ
【図１】
2007202056.tif 000005
【図２】
2007202056.tif 000006
【図３】
2007202056.tif 000007
【図４】
2007202056.tif 000008
【図５】
2007202056.tif 000009
【図６】
2007202056.tif 000010
【図７】
2007202056.tif 000011
【図８】
2007202056.tif 000012
【図９】
2007202056.tif 000013
【図１０】
2007202056.tif 000014
【図１１】
2007202056.tif 000015
【図１２】
2007202056.tif 000016
【図１３】
2007202056.tif 000017
【図１４】
2007202056.tif 000018
【図１５】
2007202056.tif 000019
【図１６】
2007202056.tif 000020
【図１７】
2007202056.tif 000021
【図１８】
2007202056.tif 000022
【図１９】
2007202056.tif 000023
【図２０】
2007202056.tif 000024